(57)【要約】【課題】玉箱の運搬時における台車への玉箱の積み込み、玉計数時における玉箱の持ち上げなど、作業者の身体にかかる負担を大幅に軽減できる玉箱運搬用台車を提供する。【解決手段】玉箱運搬用台車は、玉箱１を積載するフォーク部２と、フォーク部２の昇降／高さ調整機構を内蔵した機構部と、フォーク部２の昇降／高さ調整を行う操作部から構成される。玉箱１を床から持ち上げるための積載機構、玉箱１を一定の高さまで持ち上げるためのリフト機構を有する。最上段の玉箱１の高さを一定に保つ高さ保持機構は、第１レバー４ａと第２レバー４ｂでなるパンタグラフ構造を引っ張りバネ６で付勢することによって行われる。【選択図】　　　図１
2004024290.tif 000002
【特許請求の範囲】
【請求項１】
パチンコ、スロットマシン等の遊戯機器から所定の入賞時に排出される出玉が収納された玉箱を積み重ねた状態で運搬し得る玉箱の運搬台車装置において、
床面に沿って移動し得る台車基部と、
前記台車基部の形成面に対し略垂直に固定的に設けられた台車立設部と、
前記台車立設部に沿って移動し得ると共に、前記玉箱の複数を積み重ねた状態で積載し得るフォーク部と、
前記台車基部と前記フォーク部の間に介挿され、前記フォーク部の高さ位置を前記玉箱の積み重ね個数に応じて略一定の高さ位置に可変し得る玉箱位置可変機構部と、
前記フォーク部の高さ位置を床面に載置された最下位の玉箱に係合し得る位置まで降下させる退避機構部とを具備することを特徴とする玉箱運搬用の台車装置。
【請求項２】
前記台車基部は、床面走行用のキャスターを含んで構成することを特徴とする請求項１に記載の玉箱運搬用の台車装置。
【請求項３】
前記台車立設部は、該台車立設部を床面に沿って移動させるための台車取手を含んで構成することを特徴とする請求項１に記載の玉箱運搬用の台車装置。
【請求項４】
前記台車基部及び／または前記台車立設部は、該台車立設部を床面に沿って移動させるための取手部材と前記玉箱の脱落防止用ガイド部材とを兼用する部材を含んで構成することを特徴とする請求項１に記載の玉箱運搬用の台車装置。
【請求項５】
前記台車基部は、床面走行用のキャスターを含んで構成することを特徴とする請求項１に記載の玉箱運搬用の台車装置。
【請求項６】
前記フォーク部は、床面に複数列に亘って載置された玉箱を同時に積載し得る形状を呈して構成されることを特徴とする請求項１に記載の玉箱運搬用の台車装置。
【請求項７】
前記玉箱位置可変機構部は、前記フォーク部に積載される前記玉箱の重量に抗して付勢されるパンタグラフ機構部を含んで構成することを特徴とする請求項１に記載の玉箱運搬用の台車装置。
【請求項８】
前記退避機構部は、手動または電動による駆動部を含んで構成することを特徴とする玉箱運搬用の台車装置。
【発明の詳細な説明】
【０００１】
【発明の属する技術分野】
本発明は、パチンコ、スロットマシン等の遊戯機器から所定の入賞時に排出される出玉が収納された玉箱を積み重ねた状態で運搬し得る玉箱の運搬台車装置に関する。
【０００２】
【従来の技術】
パチンコ遊戯機器を用いて行われる遊戯において、所定の入賞時に排出される出玉は、数百個であれば、機器自身に設けられている玉受けに収納できるが、入賞の数が多くなると玉受けに収納し切れなくなり、その場合には、玉箱に移し替えることが行われ、玉箱を座席の横や近くの通路に置き、更に入賞個数が多くなったときには玉箱を上下方向に積み重ねて置かれることが多い。
【０００３】
パチンコの玉箱に関しては一般的には遊戯台の一回の入賞（大当たり）分のパチンコ玉（１個約５ｇ）を収納できる分の玉数を入れられる箱となっており、　パチンコ玉が約２０００玉から２５００玉の収納にてその玉箱は重量自身が１箱で１０数ｋｇ程度となり、さらに入賞回数の多い遊戯台でのケースではその玉箱を複数個積み重ねることになりその総重量は相当なものとなる。遊戯を終了した客は出玉の精算を実施するが、その精算のために玉箱を玉計数機（または通称ジェットカウンタ）と呼ばれる装置まで運ぶ必要が出てくる。
【０００４】
このとき、玉計数機自体はパチンコ店の特定箇所、例えば１フロアーに１か所設置されており、かつ玉計数機はパチンコ玉を位置に流す時に光電的に玉数をカウントするものが主流であり、パチンコ玉を流すためにカウンタ台などに設置され、その高さは一般的なもので７０〜８０ｃｍ程度の高さ（成人の腰ほどの高さ）に置かれている。
【０００５】
そこでパチンコ店ではこれら複数の玉箱を玉計数機に運ぶ際には台車に積載し、台車を玉計数機の設置位置まで移動させた後に、積載玉箱の取り出しを行って玉計数を行うことになる。
【０００６】
このような玉箱は、パチンコ店において用いられるのみならず、遊興のためのスロットマシン等々の遊戯機器が設置されている各種のアミューズメント店においても同様であって、入賞時に排出される部材は、パチンコ玉のような球形の場合のみならず、コイン状を呈している場合もあり、いずれの場合も金属製であるので重量がかさむものとなる。
【０００７】
なお、遊戯機器から排出される入賞部材は、パチンコ玉、コイン状部材等々の多種多用なものがあるが、本明細書中では、これらを全て包含して出玉と称し、また、入賞部材が収納される収納箱を玉箱と称することにする。
【０００８】
従って、かなりの重量を有する玉箱の持ち運び時の負担を軽くするために、床に置かれた玉箱を台車に積載し、台車を所定場所まで運搬し台車から玉箱を取り出して玉計数機に流し込むことによって出玉計数を行っている現状である。
【０００９】
この場合、積み重ねられた玉箱をただ単に台車で運搬するのではなく、例えば、特開平９−１０４５９５に開示されている運搬車装置のように、積載した玉箱を玉計数機の高さまで上昇させることを軽い人力でもって機械的に行うようにし、かなりの重量を有する玉箱の積み降ろしを客もしくは店の従業員両方の負担を軽くすることができる技術が知られている。
【００１０】
【発明が解決しようとする課題】
従来の玉箱運搬用の台車装置は、台車に積載された玉箱を玉計数機の高さまでさほどの力を要せずに行うことができるものの、次のような問題点がある。
【００１１】
第１は、床に置かれた玉箱を台車に積載するためには、人手により持ち上げる必要があるが、玉箱が１箱で１０数ｋｇ程度の重量物であるため、作業者の身体に著しく負担がかかるという問題である。
【００１２】
第２は、積載した玉箱の積み下ろしにあり、台車に積載された玉箱の玉を玉計数機で計数する場合、台車から玉計数機の高低差分、人手で持ち上げる必要があり、作業者に不自然な体形での作業を強いるために身体に大きな負担がかかるという問題である。
【００１３】
第３は、積載した玉箱の玉を計数するときに、台車に積み上げられた玉箱を順次に持ち上げる必要があり、このときに、玉箱が下段にあればある程に持ち上げるためにかがみ込んでの作業ときつくなるために作業者に無理な体形での作業を強いることになり、身体に大きな負担がかかるという問題である。
【００１４】
そこで、本発明の目的は、玉箱の運搬や玉計数を行う作業者の身体への負荷を軽減し、作業性を向上させることのできる玉箱運搬用の台車装置を提供することにある。
【００１５】
【課題を解決するための手段】
前記課題を解決するために、本発明による玉箱運搬用の台車装置は、次に記載するような特徴的な構成を採用している。
【００１６】
（１）パチンコ、スロットマシン等の遊戯機器から所定の入賞時に排出される出玉が収納された玉箱を積み重ねた状態で運搬し得る玉箱の運搬台車装置において、
床面に沿って移動し得る台車基部と、
前記台車基部の形成面に対し略垂直に固定的に設けられた台車立設部と、
前記台車立設部に沿って移動し得ると共に、前記玉箱の複数を積み重ねた状態で積載し得るフォーク部と、
前記台車基部と前記フォーク部の間に介挿され、前記フォーク部の高さ位置を前記玉箱の積み重ね個数に応じて略一定の高さ位置に可変し得る玉箱位置可変機構部と、
前記フォーク部の高さ位置を床面に載置された最下位の玉箱に係合し得る位置まで降下させる退避機構部とを具備する玉箱運搬用の台車装置。
【００１７】
（２）前記台車基部は、床面走行用のキャスターを含んで構成する上記（１）の玉箱運搬用の台車装置。
【００１８】
（３）前記台車立設部は、該台車立設部を床面に沿って移動させるための台車取手を含んで構成する上記（１）の玉箱運搬用の台車装置。
【００１９】
（４）前記台車基部及び／または前記台車立設部は、該台車立設部を床面に沿って移動させるための取手部材と前記玉箱の脱落防止用ガイド部材とを兼用する部材を含んで構成する玉箱運搬用の台車装置。
【００２０】
（５）前記台車基部は、床面走行用のキャスターを含んで構成する上記（１）の玉箱運搬用の台車装置。
【００２１】
（６）前記フォーク部は、床面に複数列に亘って載置された玉箱を同時に積載し得る形状を呈して構成される上記（１）の玉箱運搬用の台車装置。
【００２２】
（７）前記玉箱位置可変機構部は、前記フォーク部に積載される前記玉箱の重量に抗して付勢されるパンタグラフ機構部を含んで構成する上記（１）の玉箱運搬用の台車装置。
【００２３】
（８）前記退避機構部は、手動または電動による駆動部を含んで構成する上記（１）の玉箱運搬用の台車装置。
【００２４】
【発明の実施の形態】
以下、本発明の実施の形態について図面を用いて説明する。先ず、本発明の第１の実施形態による玉箱運搬用の台車装置を図１乃至図９を用いて説明する。本形態の運搬台車装置の構成を図１と図２を用いて説明すると、運搬台車装置は、所定幅を保って平行に位置する２本の棒材でなる台車基部１３と、該台車基部１３のそれぞれの片端に強固に固定されて略垂直に立設して形成された台車立設部１４とで構成され、台車基部１３の底部の４隅部それぞれにキャスター１５が設けられ、台車立設部１４の上部外方に台車取手３が突出して固定されている。
【００２５】
従って、台車取手３を手で握った状態で押し引きすると、キャスター１５が設けられているために非常に小さな力で運搬台車装置の全体を自由に床面上を移動させることができる。
【００２６】
台車基部１３の上位にはその幅に略等しい幅を有するＵ字状のフォーク部２が、その基部が台車立設部１４に係合し、側部がパンタグラフ機構でなる玉箱位置可変機構部を介して台車基部１３に取り付けられている。
【００２７】
次に、玉箱位置可変機構部の詳細について説明する。基本構造は、台車基部１３とフォーク部２の間に介挿され、フォーク部２の高さ位置を玉箱の積み重ね個数に応じて略一定の高さ位置に可変し得るもので、第１レバー４ａと第２レバー４ｂで構成されるパンタグラフ機構である。
【００２８】
第１レバー４ａと第２レバー４ｂの中間がダンパー機構５によって軸支され、第１レバー４ａは、その片端が台車基部１３に固定された支軸４ａ１によって回転自在に支持され、他端がフォーク部２の側方に形成されたガイド長孔２ｂに係合するガイド軸４ａ２によってスライド移動自在に支持されている。
【００２９】
一方、第２レバー４ｂは、その片端がフォーク部２に固定された支軸４ｂ１によって回転自在に支持され、他端が台車基部１３の側方に形成されたガイド長孔１３ａに係合するガイド軸４ｂ２によってスライド移動自在に支持され、よって台車基部１３とフォーク部２は平行状態を保ちながら上下方向への移動が許容され、第１レバー４ａと第２レバー４ｂの間に張り渡された引っ張りバネ６によって自由状態において台車基部１３とフォーク部２が離れる方向の付勢力が与えられている。
【００３０】
フォーク部２の先端に設けられた連結部２ａは、駆動ベルト１２に固定され、駆動ベルト１２が昇降位置調整ハンドル１１を時計回りに回転操作することによって駆動されると、その駆動に追従してフォーク部２が下降方向に移動され、この移動は、引っ張りバネ６による付勢力に抗して行われる。
【００３１】
フォーク部２の上下方向の移動に連動し、その連結部２ａの位置を保持するための第１の上下位置ロック部材７と第２の上下位置ロック部材９が設けられ、第１の上下位置ロック部材７は、支軸７ａによって回転自在に支持され、片腕部の選択が足で押操作できる形状にされ、中間部と台車立設部１４の間に張り渡された引っ張りバネ８によって時計回り方向の付勢力が与えられている。第２の上下位置ロック部材９も第１の上下位置ロック部材７と同様の支軸９ａと引っ張りバネ１０が設けられている。
【００３２】
図２は、玉箱１を一定の高さまで持ち上げた際の状態を示している。玉箱１は、その内部に出玉を収納するための出玉収納部１ａを有し、開放部の周縁部に手持ち部１ｂとフォーク係合部１ｃがフランジ状に形成されている。
【００３３】
従って、図３に示すようにフォーク部２が最下位の位置まで降下された状態で連結部２ａが第１の上下位置ロック部材７によって保持された状態の玉箱運搬用の台車装置を、玉箱１、第２玉箱１−２乃至第５玉箱１−５が上下に積み重ねられた位置まで移動させ、最下位の玉箱１の有するフォーク係合部１ｃの下にフォーク部２を滑り込ませ、図４に示すような状態にする。この状態は、最下位の玉箱１のフォーク係合部１ｃがフォーク部２より僅かに離間した状態である。
【００３４】
図４に示す状態の玉箱運搬用の台車装置において、第１の上下位置ロック部材７を足で踏むと、連結部２ａと第１の上下位置ロック部材７のロック状態が図５に示すように外され、フォーク部２が上昇開始し連結部２ａが第２の上下位置ロック部材９によって保持された位置まで上昇する。この動きは、引っ張りバネ６によって第１レバー４ａと第２レバー４ｂによりフォーク部２を上昇させる方向の付勢力が蓄勢されていたものが解除されるため、最下段に保持されていたフォーク部２が、ダンパー機構５の働きにより平行にゆっくりと上方に持ち上がり、フォーク部２の連結部２ａが第２の上下位置ロック部材９によって保持される位置まで移動して停止され、フォーク部２によって玉箱１乃至第５玉箱１−５が床面から浮き上げられた状態にされる。なお、このときには第１の上下位置ロック部材７は引っ張りバネ８の引っ張り力によって図６に示す復旧位置にされる。
【００３５】
図６に示すように玉箱１乃至第５玉箱１−５が保持された玉箱運搬用の台車装置は、台車取手３を押しながら玉計数機の場所まで簡単に運搬することができ、玉計数機の近傍において、引っ張りバネ１０によって保持されている第２の上下位置ロック部材９を足で踏むと、図７に示すようにロックが解除され、再びフォーク部２が引っ張りバネ６によるバネ力によって持ち上げられ、積載されている最上段に位置する第５玉箱１−５が、持ちやすい高さまで持ち上げられる。
【００３６】
この状態で、最上段の第５玉箱１−５を取り除くと、その都度に次の玉箱、即ち、第４玉箱１−４、第３玉箱１−３、第２玉箱１−２、玉箱１の順番で最上位が順番に一定の高さまで持ち上がる。そして、図８のように積載された全ての玉箱を計数し終わった後に、昇降位置調整ハンドル１１を矢印方向に回転させると、駆動ベルト１２に連結されたフォーク部２が下方向に押し下げられて、フォーク部２の連結部２ａが第２の上下位置ロック部材９でロックされる位置まで移動する。
【００３７】
更に、昇降位置調整ハンドル１１を矢印方向に回転させると駆動ベルト１２によって連結部２ａが更に下方に押し下げられ第１の上下位置ロック部材７によって連結部２ａがロックされてフォーク部２が最下段に保持された状態、即ち、図３に示す初期状態に玉箱運搬用の台車装置が戻されることになる。
【００３８】
ここで、駆動ベルト１２の支軸部には一方向クラッチ１６が設けられているために、昇降位置調整ハンドル１１を矢印方向（図８参照）のみに回転され、昇降位置調整ハンドル１１が逆回転されない構造とされていて、また、フォーク高さ保持用の引っ張りバネ６には、玉箱個数に関係なく、最上段の玉箱高さがＬ１となるバネ定数Ｋのスプリングが使用されている。バネ定数Ｋの関係式は、図９（Ａ）及び図９（Ｂ）に付された符号を参照することによって、次のような式によって求めることができる。
【００３９】
Ｋ＝Ｍ１×｛（Ｆ１×ａ）＋Ｎ１｝／Ｍ２×〔｛Ｌ２×（ａ−１）｝＋Ｎ２〕
【００４０】
ただし、Ｋは保持スプリングのバネ定数、Ｆ１は１個の玉箱重量、ａは玉箱個数、Ｌ１は最上段の玉箱位置、Ｌ２は玉箱列からを１箱下ろしたときの高さ変化量、Ｍ１は引っ張りバネ６と玉箱総重量の比例定数、Ｍ２は引っ張りバネ６の長さとフォーク部２の高さ変位量の比例定数、Ｎ１はフォーク部２等の玉箱以外の重量、摩擦等の損失の和、Ｎ２は玉箱がない場合と１個積んだ場合のフォーク高さ差をそれぞれ表す。また、引っ張りバネ６を固定する点は、引っ張りバネ６のバネ力のバラツキや、種々の形状を持つ玉箱１に対応する為、調整式にすることが望ましく、また、長さＳ２ａを可変することによっても同様趣旨の調整を行うことができる。
【００４１】
図１乃至図９に示されたアミューズメント向け、特にパチンコ店向けの第１の実施形態による玉箱運搬用の台車装置は、床面に縦に（上下方向に）積み重ねて置かれた玉箱の側面にフォーク部を差し込み、フォーク操作部を操作することにより、玉箱を床面から持ち上げ、玉計数機まで運搬し、フォーク操作部を操作し、リフト機構により玉計数機の高さまでフォーク部を上げ、また、高さ保持機能で、フォーク部に積まれた最上段の玉箱の高さ位置を一定に保ち、最下段に置かれていた玉箱を下ろす際にも、かがむことなく計数を行うことができる。
【００４２】
なお、パチンコ店並びにアミューズメント店では客の入賞回数が多い場合などでは、積み重ねられた玉箱が１列では収まらず、２列にして客座席の近傍の床面に置いておくケースがあり、これに対応させたものを第２の実施の形態として図１０を用いて説明する。
【００４３】
Ｕ字状に形成される台車第１基部１７ａと台車第２基部１７ｂの基部に台車立設部１８を固定し、台車立設部１８に対して昇降方向に移動自在なフォーク部を第１フォーク部２０ａ、第２フォーク部２０ｂ、第３フォーク部２０ｃの３列で構成し、第２フォーク部２０ｂと第１フォーク部２０ａの間に第１玉箱列２１の最下位に位置する玉箱に形成されたフォーク係合部２１ｂ，２１ｂを係合させて上昇させ得るようにし、これと同時に第３フォーク部２０ｃと第１フォーク部２０ａの間に第２玉箱列２２の最下位に位置する玉箱に形成されたフォーク係合部２２ｂ，２２ｂを係合させて上昇させ得るようにする。なお、符号２１ａ、２２ａのそれぞれは、玉箱に設けられた手持ち部であり、符号１９は、台車立設部１８に固定された台車取手である。
【００４４】
前述の図１０に示す第２の実施の形態は、玉箱の長手方向に平行して２列に並べられた例であるが、図１１に示すように玉箱の長手方向に直行する方向に２列に並べられた例を第３の実施の形態として説明する。
【００４５】
図１１において、Ｕ字状に形成される台車第１基部２３ａと台車第２基部２３ｂの基部に台車立設部２４を固定し、台車立設部２４に対して昇降方向に移動自在なフォーク部を第１フォーク部２６ａ、第２フォーク部２６ｂの２列で構成し、第１フォーク部２６ａと第２フォーク部２６ｂの間に玉箱列２７の最下位に位置する玉箱に形成されたフォーク係合部機能と、手持ち機能を兼用した手持ち部２７ａを係合させて上昇させ得るようにしている。なお、符号２５は、台車立設部２４に固定された台車取手である。
【００４６】
さて、図１１と図１２に示すようにフォーク部形状を変更することにより、図１２と図１３のように玉箱を縦２列、横２列に積み上げた場合に一括で玉箱を床面から持ち上げる玉箱運搬用の台車装置を提供することが可能となる。
【００４７】
玉箱運搬用の台車装置は、所定幅を保って平行に位置する２本の棒材でなる台車基部２８と、該台車基部２８のそれぞれの片端に強固に固定されて略垂直に立設して形成された台車立設部２９とで構成され、台車基部２８の底部の４隅部のそれぞれにキャスター３０が設けられている。
【００４８】
台車基部２８の上位にはその幅に略等しい幅を有するＵ字状のフォーク部３３が、前述同様の玉箱位置可変機構部３４を介して構成され、フォーク部３３の基部に設けられた連結部３３ａが設けられ、この連結部３３ａが第１の上下位置ロック部材３１と第２の上下位置ロック部材３２によって前述同様にして選択的にロック状態にされる。
【００４９】
玉箱列３５、３６の最下位の玉箱の有するフォーク係合部がフォーク部３３に係合されることによって、所定の昇降動作に伴って玉箱列３５，３６の全体が昇降される。
【００５０】
なお、今まで説明した各形態は、台車基部（符号１３等）と台車立設部（符号１４等）連結されてＬ字状に構成されているが、台車基部と台車立設部の間に、通常の取手とは別に取手兼ガイドを、フォーク部の長手方向の台車基部から台車台車立設部に取り付けることによって、積載された玉箱のズレや落下を避ける荷崩れ防止ができる。
【００５１】
また、通常の取手にて、積み重ねて置かれた玉箱の側面に、フォーク部を差し込み、玉箱を床面から持ち上げた後に玉計数機まで運搬する際、搬送する方向が差し込み方向から見て真横方向であった場合は、台車を９０度方向転換することなく、容易に搬送できるという利点を持たせることができる。
【００５２】
搬送の方向転換を容易にできるという利点を図１４を参照して補足説明する。
【００５３】
図１４は、前述した玉箱運搬用台車装置の移動の流れを示したものであり、図１４（Ａ）（Ｂ）（Ｃ）のそれぞれは、動作ステップを概念的に現わしたもので、狭いパチンコ店やアミューズメント店の通路内を台車を移動させることが可能となる。なお、ここでの椅子や通路間の距離は主流なパチンコ店並びアミューズメント店での設置間隔である。
【００５４】図１４（Ａ）に示す動作ステップは、台車を椅子の間に侵入させ、２人の客のそれぞれの有する玉箱列を同時に運搬することができる状態を現わし、　図１４（Ｂ）に示す動作ステップは、２人の客のそれぞれの有する玉箱列をフォークアップする状態を現わし、図１４（Ｃ）は、台車に積載済みの玉箱列を計数台に運搬することができる状態を現わしている。
【００５５】
【発明の効果】
以上の説明で明らかなように、本発明による玉箱運搬用の台車装置は、次のような効果がある。
【００５６】
第１の効果は、玉箱の積載に人手で持ち上げる必要が無くなるため、作業者の身体にかかる負荷を軽減できる。
【００５７】
第２の効果は、玉箱を玉計数機の高さまで持ち上げられる為、玉の計数時に、台車から玉計数機までの高低差分、人手で持ち上げる必要が無くなり、作業者の身体にかかる負荷を軽減できる。
【００５８】
第３の効果は、積載された玉箱の最上段が一定の高さで保持されるため、最下段に積まれた玉箱の積み下ろし時にかがんだりする必要が無く、作業者の身体にかかる負荷を軽減できる。
【００５９】
第４の効果は、床に並べて積まれた複数の玉箱を一度に運搬できるため、作業性を向上することができる。
【００６０】
第５の効果は、容易に方向転換できるため、狭いアミューズメント店における玉箱運搬に利用でき、作業性を向上することができる。
【００６１】
従って、本発明によれば、玉箱の運搬時における台車への玉箱の積み込み、玉計数時における玉箱の持ち上げなど、作業者の身体にかかる負担を大幅に軽減できる玉箱運搬用の台車装置を提供することができる。
【図面の簡単な説明】
【図１】本発明の第１の実施形態による玉箱運搬用の台車装置の機構概略図である。
【図２】図１中に示される玉箱の保持状態を説明するための上面図である。
【図３】本発明の第１の実施形態による玉箱運搬用の台車装置のフォーク部に玉箱を挟み込む操作を示す図である。
【図４】本発明の第１の実施形態による玉箱運搬用の台車装置の玉箱を床から持ち上げる操作を示す図である。
【図５】本発明の第１の実施形態による玉箱運搬用の台車装置の玉箱が床から持ち上がった状態を示す図である。
【図６】本発明の第１の実施形態による玉箱運搬用の台車装置の機構によりフォーク部を計数機の高さまで持ち上げる操作を示す図である。
【図７】本発明の第１の実施形態による玉箱運搬用の台車装置の機構により玉箱の高さが一定に保持されている状態を示す図である。
【図８】本発明の第１の実施形態による玉箱運搬用の台車装置の、玉箱計数後にフォーク部を最下位に保持する操作を示す図である。
【図９】図１中に示される引っ張りバネのバネ定数の関係を説明するための図である。
【図１０】本発明の第２の実施形態による玉箱運搬用の台車装置の概略構成図である。
【図１１】本発明の第３の実施形態による玉箱運搬用の台車装置の概略構成図である。
【図１２】本発明の第４の実施形態による玉箱運搬用の台車装置の横２列に玉箱を搭載することができる例の概略構成図である。
【図１３】図１２中に示される玉箱列を持ち上げた状態を示す概略構成図である。
【図１４】玉箱運搬用の台車装置を椅子の間に侵入させ、２人の客のそれぞれの有する玉箱列を同時に運搬することができる状態、玉箱列をフォークアップする状態及び積載済みの玉箱列を計数台に運搬することができる状態を現わす図である。
【符号の説明】
１　玉箱
２　フォーク部
３　台車取手
４　パンタグラフ機構
５　ダンパー機構
６　引っ張りバネ
７　第１の上下位置ロック部材
８　引っ張りバネ
９　第２の上下位置ロック部材
１０　引っ張りバネ
１１　昇降位置調整ハンドル
１２　駆動ベルト
１３　台車基部
１４　台車立設部
１５　キャスター
１６　一方向クラッチ
【図１】
2004024290.tif 000003
【図２】
2004024290.tif 000004
【図３】
2004024290.tif 000005
【図４】
2004024290.tif 000006
【図５】
2004024290.tif 000007
【図６】
2004024290.tif 000008
【図７】
2004024290.tif 000009
【図８】
2004024290.tif 000010
【図９】
2004024290.tif 000011
【図１０】
2004024290.tif 000012
【図１１】
2004024290.tif 000013
【図１２】
2004024290.tif 000014
【図１３】
2004024290.tif 000015
【図１４】
2004024290.tif 000016